(57)【要約】ホルダ２０は、コンピュータ読み取り可能な記憶媒体１０が着脱可能に取り付けられることができ、若しくはコンピュータ読み取り可能な記憶媒体が収納されることができ、このホルダは、平面形状と、標準的なクレジットカードと標準的なビジネスカードの少なくともいずれかに一致する大きさとを有する。特に、このホルダは、８５mm〜８６mm×５４mm〜５５mmの寸法のほぼ長方形形状を有する。
2005535996.tif 000002
【特許請求の範囲】
【請求項１】
コンピュータ読み取り可能な記憶媒体が着脱可能に取り付けられることができ、若しくはコンピュータ読み取り可能な記憶媒体が収納されることができるホルダであって、
前記ホルダは、平面形状と、標準的なクレジットカードと標準的なビジネスカードの少なくともいずれかに一致する大きさとを有することを特徴とするホルダ。
【請求項２】
８５mm〜８６mm×５４mm〜５５mmの寸法のほぼ長方形形状を有することを特徴とする請求項１に記載のホルダ。
【請求項３】
５mmよりも薄い厚さを有することを特徴とする請求項１に記載のホルダ。
【請求項４】
ほぼ平面形状化された、コンピュータ読み取り可能な記憶媒体が着脱可能に取り付けられることができ、
前記ホルダの平面面積は、前記コンピュータ読み取り可能な記憶媒体の前記平面面積よりも少なくとも７５％大きいことを特徴とする請求項１に記載のホルダ。
【請求項５】
前記ホルダの平面面積は、前記コンピュータ読み取り可能な記憶媒体の前記平面面積よりも少なくとも１００％大きいことを特徴とする請求項４に記載のホルダ。
【請求項６】
少なくとも２個のコンピュータ読み取り可能な記憶媒体が着脱可能に取り付けられることができることを特徴とする請求項１ないし５の何れかに記載のホルダ。
【発明の詳細な説明】
【技術分野】
【０００１】
この発明は、コンピュータ読み取り可能な記憶媒体のためのホルダに関する。
【背景技術】
【０００２】
オランダのRoyal Philips Electronics（以下、“Philips”）社は、直径が丁度３０mmの片面リムーバブル光学ディスクに１ギガバイトまでのデータを記憶できる、ブルーレーザ技術を利用した小型光学ディスクドライブを現在開発している。この研究成果は、２００２年６月１８日付けの"Philips Develops Technology for Small Form Factor Optical Storage（フィリップスは小型形状要素光学記憶用の技術を開発した）"と表題を付けられたPhilipsの新聞発表に詳しく述べられているとともに、Philipsのウエブサイトwww.newscenter.philips.comからも入手することができる。
【０００３】
全体的なハウジングを含んで、これらの“小型形状要素（small form factor）”光学ディスクは、外形が約30mm×４0mm×2.5mmであり、デジタルカメラ、移動電話、PDAなどのサイズ制限のある記憶アプリケーションに対しては理想的である。しかしながら、ディスクドライブから取り外した際、これらのディスクは、十分小さく取り扱いの問題を生じさせる。そのようなディスクは、もちろん、コンパクト・ディスク（CDs）のために原型のケースがPhilipsによってデザインされたＣＤケース（jewel case）の小型版、または、実際、近年そのＣＤケースについて開発された多くの変形例の一つの小型版を用いることにより収納することができる。
【０００４】
ヨーロッパ特許出願、公開番号EP110397A1やPCT特許出願、公開番号WO01/81206A1の両方は、コンピュータ読み取り可能な記憶媒体が着脱可能に取り付けられるホルダについて開示している。特に、WO01/81206A1では、現代のヨーロッパのビジネスカードの寸法に応じて切断されるか、又は再度大きさが決められたＣＤであるデジタルビジネスカードのためのホルダについて検討している。
【発明の開示】
【発明が解決しようとする課題】
【０００５】
本発明の目的は、コンピュータ読み取り可能な記憶媒体を着脱可能に取り付けることができ、若しくはコンピュータ読み取り可能な記憶媒体を収納することができる新しいホルダを提供することである。
【課題を解決するための手段】
【０００６】
本発明によれば、そのようなホルダは、平面形状を有し、理想的には5mmより薄い厚さであるとともに、標準的なクレジットカードと標準的なビジネスカードの少なくともいずれかの大きさを有する。
【０００７】
そのようなホルダは、小型のコンピュータ読み取り可能な記憶媒体の札入れへ、特に、すでに存在する札入れ中のクレジットカードとビジネスカードの少なくともいずれかの安全な収納のために特に設けられている区画への収納を可能にする。
【０００８】
少なくともイギリスにおいては、標準的なクレジットカードと標準的なビジネスカードの少なくともいずれかは、８５mm〜８６mm×５４mm〜５５mmの寸法のほぼ長方形の平面形状を有するが、もちろん、一般的に硬質のプラスチックで構成されるクレジットカードは、しばしば丸い端部を有する。
【０００９】
ほぼ平面形状化された、コンピュータ読み取り可能な記憶媒体が、ホルダに着脱可能に取り付けられ、または収納される場合、ホルダの平面面積は、コンピュータ読み取り可能な記憶媒体の平面面積の少なくとも７５％、１００％、または２００％にもなる。コンピュータ読み取り可能な記憶媒体の更なる小型化にも拘わらず、クレジットカードとビジネスカードの少なくともいずれかの普及は、平面的な大きさと形状を維持するホルダを有することが望ましいことを意味する。
【００１０】
さらに、コンピュータ読み取り可能な記憶媒体が十分に小さい場合、ホルダは少なくとも２個のコンピュータ読み取り可能な記憶媒体を着脱可能に取り付けられることができるようになると考えられる。
【発明を実施するための最良の形態】
【００１１】
本発明は、例示のみを手段として、添付図面を参照することにより特徴が説明される。
【００１２】
図１Ａと１Ｂとは、現在のところPhilipsにより開発されているタイプの全体的な包装を有し、約30mm×40mm×2mmの寸法を有する“小型形状要素”光学ディスク１０を示す。
【００１３】
図１Ａと１Ｂとに示されたタイプのディスク１０を収納するホルダ２０は、図２Ａと２Ｂとに示されている。このホルダは、ほぼ平面形状であり、ヨーロッパのビジネスカードのための標準サイズに一致する８６mm×５５mmの寸法を有する。このホルダは、ディスクの形に一致する開口部２１と、この開口部の中にディスクを保持するのに適したこの開口部の両側のリップ部（lip）２２、２２’を有する。
【００１４】
このホルダ２０は、このホルダの一方からディスク１０を開口部へ押込んだり、開口部から飛び出させたりできるように、プラスチックで少し変形が可能である。カードの中心を通過するＢ−Ｂ軸に沿ったリップ部が無いことから、最も長い平面の寸法と平行で、この軸に沿ってカードを変形させるのを促進し、適切な圧力の下でホルダへのディスクの取り付け及び取り出しを容易にする。このリップ部自体が、少し変形可能である。
【００１５】
図３は、図２Ａと２Ｂとに示されるホルダのような同じ締め付け配置を採用し、図１Ａと１Ｂに示されるタイプのディスクを複数着脱可能に取り付けできる、本発明による代替的なホルダを示す。
【００１６】
前述のホルダは、ディスクの両側を境界にさらすか、もちろん、図１Ａと１Ｂに示される型のディスクを、標準的なクレジットカードと標準的なビジネスカードの少なくともいずれかに一致する大きさを有するケースか他の型のケースに、十分に収納することが可能である。
【００１７】
さらに、上記のホルダは光学ディスク記憶媒体に関して述べられているが、この発明は、磁気ディスク記憶や固体記憶を含む他のタイプの記憶媒体にも同様に適用できると考えられる。
【図面の簡単な説明】
【００１８】
【図１Ａ】全体的な包装を有する前述の“小型形状要素”ディスクの外側を示す平面図である。
【図１Ｂ】全体的な包装を有する前述の“小型形状要素”ディスクの外側を示す正面図である。
【図２Ａ】図１Ａと１Ｂに示されたタイプの光学ディスクの包装が脱着可能に取り付けられることができる本発明によるホルダのＡ−Ａ断面を示す断面図である。
【図２Ｂ】図１Ａと１Ｂに示されたタイプの光学ディスクの包装が脱着可能に取り付けられることができる本発明によるホルダを示す正面図である。
【図３】本発明による代替的なホルダを示す正面図である。
2005535996.tif 000003
2005535996.tif 000004
【図３】
2005535996.tif 000005
【国際調査報告】
2005535996.tif 000006
2005535996.tif 000007
2005535996.tif 000008